(57)【特許請求の範囲】
【請求項１】
弾性変形なフック部を延設し、このフック部との間に上記フック部の弾性変形により開口寸法を可変とした脱着口を形成したハンガー本体と、
上記ハンガー本体に対し一体または別体に設け、内部に薬剤収納部を形成した薬剤収納体と、
上記脱着口外側に位置する裾野部を上向きのテーパー状に形成して吊り下げ横棒を上記脱着口に導くガイドとし、この上向きテーパー状の頂部を前記フック部の先端と対向する位置に配置して上記脱着口を狭めるように上記薬剤収納体の上面側に設けた山型形状のストッパー部と、
上記フック部または上記ストッパー部の少なくとも一方を撓ませて、上記フック部と上記ストッパー部とを着脱自在に結合させる結合手段と、を具備したことを特徴とする薬剤吊り下げ装置。
【請求項２】
内部に薬剤収納部を形成し、内部と外部との間を連通させる連通部を有する薬剤収納体と、
この薬剤収納体から上方へ延設してから薬剤収納体側へ延設した弾性変形可能なフック部と、
このフック部の薬剤収納体側への延設部と上記薬剤収納体との間に形成され、上記フック部の弾性変形により開口寸法を可変とした着脱口と、
上記脱着口外側に位置する裾野部を上向きのテーパー状に形成して吊り下げ横棒を上記脱着口に導くガイドとし、この上向きテーパー状の頂部を前記フック部の先端と対向する位置に配置して上記脱着口を狭めるように上記薬剤収納体の上面側に設けた山型形状のストッパー部と、
上記フック部又は上記ストッパー部のうち少なくとも一方を撓ませて、上記フック部と上記ストッパー部とを着脱自在に係合させる結合手段と、
を具備したことを特徴とする薬剤吊り下げ装置。
【請求項３】
上記結合手段は、上記フック部又は上記ストッパー部の何れか一方に配設された突起部と、上記フック部又は上記ストッパー部の他方に配設され、上記突起部を結合する係入部と、によって構成されていることを特徴とする請求項１又は２に記載の薬剤吊り下げ装置。
【請求項４】
上記結合手段は、上記フック部の先端部に形成された嵌入部と、この嵌入部が嵌合する上記山型形状のストッパー部に形成された嵌合部と、によって構成されていることを特徴とする請求項１又は２に記載の薬剤吊り下げ装置。
【発明の詳細な説明】
【０００１】
【発明の属する技術分野】
この発明は、薬剤吊り下げ装置、詳しくは脱落落下防止性を向上させた薬剤吊り下げ装置に関するものである。
【０００２】
【従来の技術】
従来より、塩化カルシウム等の潮解性吸湿剤を収納した薬剤容器にフック部による吊り下げ部を設け、洋服タンス等の内部に設置されているハンガーを吊り下げるためのパイプ、横棒であるハンガー取付部材に吊るして使用する除湿剤容器が種々提案されている。
【０００３】
また、定型的に固化したパラジクロロベンゼン、樟脳等の昇華性物質を収納した容器にフック部を設けた防虫剤容器も種々提案されている。さらに、最近では、合成樹脂、パルプ等、またはそれらからなる不織布に常温揮発性の防虫剤等の薬液剤を含浸したものを収納する薬剤容器にフック部を設けた防虫剤容器も種々提案されている。
【０００４】
このような薬剤容器の一例として、例えば実開平５−６７２６５号公報に開示されている蒸散材ケースは、外周に揮散孔を有し一側面に嵌着口を備えると共に、板状を呈する薄型の容器本体と、この容器本体の嵌着口に差し込み装填される板状蒸散材とからなるものである。
【０００５】
このように構成した上記実開平５−６７２６５号公報の蒸散材ケースによれば、容器本体の上方に、横方向に開口した凹窪部による吊り下げ部を形成し、この凹窪部が容器本体に窪むような構成であるので、吊り下げ部の強度が大きくなると同時に、容器本体をしっかりと固定することができるものである。
【０００６】
また、実公平６−１０７８８号公報に開示されている防虫剤等収納容器は、下端縁相互を薄肉ヒンジで結合させた左右一対をなす薄皿状部を、その口縁相互が突き合わせとなるよう重ね合わせると共に、少なくとも一方の薄皿状部の上端部からＣ字状のフック部を起立し、このフック部先端に弾性片を介して揺動部を付設し、この揺動部下端の第１係合部と、フック部先端が近接する薄皿状部の上端部外面の第２係合部とを着脱自在に係合させるようにしたものである。
【０００７】
このように構成した上記実公平６−１０７８８号公報の防虫剤等収納容器によれば、フック部先端に揺動部を付設して、このフック部の開放部を揺動部で着脱自在に係合するようにしたので、フック部の吊り掛け容易性を維持しながら、フック部の外れを防止することができるものである。
【０００８】
【発明が解決しようとする課題】
しかしながら、従来の塩化カルシウム等の潮解性吸湿剤を収納した薬剤容器は、空気中の水分を吸湿し、塩化カルシウム等の潮解性吸湿剤が潮解すると共に自重が増し、洋服タンス等の内部に設置されている横棒への吊り下げ状態は良くなるものの、使用開始時は、軽量であるため、衣料の出し入れの際に出し入れする衣類と接触し、洋服タンス等の内部に設置されている横棒から吊り下げ部が外れて脱落してしまう場合がある。
【０００９】
また、定形的に固化したパラジクロロベンゼン、樟脳等の昇華性物質を収納した防虫剤容器はかなり厚めであるため、洋服タンス等の内部に設置されている横棒に吊るした場合は容器自重により吊り下げ状態は若干保たれるものの、スペースが嵩むために出し入れする際に衣類と防虫剤容器が接触して、上記横棒から脱落してしまう場合が多々あった。そして、昇華性物質が昇華終了に近づくにつれて自重が軽量化するため、さらに脱落しやすくなるという問題点がある。
【００１０】
さらに、合成樹脂、パルプ等またはそれらからなる不織布に常温揮発性の防虫剤等の薬液剤を含浸したものを収納した薬剤容器は、軽量であるがゆえに洋服タンス等の内部に設置されている横棒に吊した場合、衣類の出し入れの際に出し入れする衣類と薬剤容器とが接触することで横棒から脱落してしまうという問題点がある。
【００１１】
一方、上記実開平５−６７２６５号公報に開示されている手段によれば、吊り下げ部の強度が大きくなるため、洋服タンス等の内部に設置されている横棒の径が、この蒸散剤ケースの吊り下げ部の着脱口の大きさよりも小さいものしか吊り下げることができないという問題点がある。
【００１２】
また、上記実公平６−１０７８８号公報に開示されている手段によれば、フック部が容器本体の上部に張り出した形状となっているので、このフック部の吊り下げ強度を充分に確保することができないという問題点がある。
【００１３】
また、第１、第２係合部を係合させることでフック部の外れを防止しているが、衣類の出し入れの際に出し入れする衣類と容器本体とが接触することで、この容器本体に洋服タンス等の内部に設置されている横棒に対して直交する方向への力が加わった場合には、上記第１、第２係合部の係合が外れてしまうことが考えられ、この場合には、容器本体が上記横棒から脱落してしまうという問題点がある。
【００１４】
このように従来の技術における、上述したような薬剤容器では、洋服タンス等の内部に設置されている横棒に吊り下げて使用するときに、この横棒から吊り下げ部が外れて脱落しやすいという問題点があるものや、逆に吊り下げ部の強度が大きいため、横棒の径が吊り下げ部の着脱口の大きさよりも小さいものしか吊り下げることができないといった問題点がある。
【００１５】
そこで、本発明の目的は、上記従来の問題点を解消し、洋服タンス等の内部に設置されている横棒に吊り下げて使用する際の脱落防止性をより向上させた薬剤吊り下げ装置を提供するにある。
【００１６】
また、上記洋服タンス等の横棒の直径が脱着口の大きさより大きい場合にも、この横棒に吊り下げて使用することができると共に、上記横棒に吊り下げて使用する際の脱落防止性を向上させた薬剤吊り下げ装置を提供するにある。
【００１７】
【課題を解決するための手段】
上記目的を達成するため本発明の一態様による薬剤吊り下げ装置は、弾性変形なフック部を延設し、このフック部との間に上記フック部の弾性変形により開口寸法を可変とした脱着口を形成したハンガー本体と、上記ハンガー本体に対し一体または別体に設け、内部に薬剤収納部を形成した薬剤収納体と、上記脱着口外側に位置する裾野部を上向きのテーパー状に形成して吊り下げ横棒を上記脱着口に導くガイドとし、この上向きテーパー状の頂部を前記フック部の先端と対向する位置に配置して上記脱着口を狭めるように上記薬剤収納体の上面側に設けた山型形状のストッパー部と、上記フック部または上記ストッパー部の少なくとも一方を撓ませて、上記フック部と上記ストッパー部とを着脱自在に結合させる結合手段と、を具備している。
【００１８】
また、本発明の別の態様による薬剤吊り下げ装置は、内部に薬剤収納部を形成し、内部と外部との間を連通させる連通部を有する薬剤収納体と、この薬剤収納体から上方へ延設してから薬剤収納体側へ延設した弾性変形可能なフック部と、このフック部の薬剤収納体側への延設部と上記薬剤収納体との間に形成され、上記フック部の弾性変形により開口寸法を可変とした着脱口と、上記脱着口外側に位置する裾野部を上向きのテーパー状に形成して吊り下げ横棒を上記脱着口に導くガイドとし、この上向きテーパー状の頂部を前記フック部の先端と対向する位置に配置して上記脱着口を狭めるように上記薬剤収納体の上面側に設けた山型形状のストッパー部と、上記フック部又は上記ストッパー部のうち少なくとも一方を撓ませて、上記フック部と上記ストッパー部とを着脱自在に係合させる結合手段と、を具備している。
【００１９】
【発明の実施の形態】
以下、図面を参照して本発明の実施の形態を説明する。
図１〜図７は、参考形態の薬剤吊り下げ装置を示す図であって、図１は、この薬剤吊り下げ装置を示す斜視図を、図２は、この薬剤吊り下げ装置の側面図を、図３は、この薬剤吊り下げ装置の表側の正面図を、図４は、この薬剤吊り下げ装置の背面図をそれぞれ示している。また、図５、図６、図７は、この薬剤吊り下げ装置の動作を説明する図である。
【００２０】
図１〜図４に示すように、この薬剤吊り下げ装置１は、揮散性の薬液剤が含浸されたシート材１０と、このシート材１０を収納する薬剤収納部を有する薬剤容器２０とから構成されている。この薬剤容器２０は、薬剤収納体である容器本体２１と、この容器本体２１の上部側に形成された湾曲状のフック部３０とが一体に形成されたハンガー本体によって構成されている。
【００２１】
容器本体２１は、ガス不透過性またはガス半透過性の部材で楕円状に形成された表側筐体２２および裏側筐体２３とによって、裏表分割された構造になっており、揮散性の薬液剤が含浸されたシート材１０を、その内部に収納できるようになっている。
【００２２】
また、容器本体２１を形成する表側筐体２２および裏側筐体２３には、容器本体２１の内部と外部との間を連通させる連通部である連通孔２４が形成されており、これにより、容器本体２１の内部と外部との間のガスの通過が可能になっている。つまり、この連通孔２４は、シート材１０の薬液剤が揮散した気体を外側に放出するための放出用開孔部である。
【００２３】
フック部３０は、容器本体２１の表側筐体２２の上面側に一体に形成されており、上記表側筐体２２側の一端部から上方へ延設され、その先端部は、湾曲して容器本体２１側に向けて形成されており、これによって、フック部３０の先端部と容器本体２１との間に脱着口３２を形成している。そして、フック部３０の先端部近傍には、薬剤容器２０に対して略直交する方向に向けて突起部３８が植設されている。
【００２４】
また、上記容器本体２１の周縁部上側の略中央には、上記突起部３８が係合する係入部３９が配設されている。そして、この突起部３８と係入部３９とによって結合手段が形成されている。
【００２５】
また、上記突起部３８が係入部３９に係合する際に、上記フック部３０の先端部と容器本体２１の上面との干渉を防止するために、フック部３０の先端部の一側方には切欠部３０ａが形成されている。また、表側筐体２２側の上記係入部３９近傍には、上記突起部３８と係入部３９がスムーズに結合されるように、フック部３０の先端部を導くガイド溝４１が形成されている。このガイド溝４１は、突起部３８と係入部３９とが結合した状態では、フック部３０の先端部を保持し、所定の位置に位置決めする機能をも有している。
【００２６】
なお、上記フック部３０は、弾性力を有する部材によって形成されていると共に、その断面をＴ字状に形成されていることで、適宜肉厚を調整されており、適切な力量で弾性変形が可能となっている。これにより、脱着口３２の間隔、すなわち開口寸法は可変となっている。
【００２７】
一方、この薬剤吊り下げ装置１には、フック部３０によって保持空間部３３が形成されている。また、フック部３０の先端部内側３４から先端部外側３５に向けて拡開形状のテーパー３６が形成されており、脱着口３２の開口寸法は、薬剤吊り下げ装置１を吊り下げる洋服タンス等の内部に設置され、ハンガーを吊り下げるためのパイプ、横棒等のハンガー取付部材の平均的なサイズ（直径）よりも小径となるように設定されている。
【００２８】
上記テーパー３６は、脱着口３２内に、この薬剤吊り下げ装置１を吊り下げる横棒を挿入する際に、フック部３０を撓ませることによって脱着口３２の開口寸法を拡げるようにガイドするために形成されているものである。
【００２９】
また、フック部３０の先端部の突起部３８が係入部３９に係合した際の保持空間部３３の内径は、薬剤吊り下げ装置１を吊り下げる上記横棒の平均的なサイズ（直径）と略同一か、または上記横棒の平均的なサイズ（直径）よりも若干大径になるように設定されている。
【００３０】
そして、裏側筐体２３の内側には、複数個のリブ（図示せず）が配設されていて、このリブによってシート材１０は、表側筐体２２の所定の位置に固定されるようになっている。
【００３１】
このように構成された上記参考形態の薬剤吊り下げ装置１を洋服タンス等の横棒に吊り下げる際の動作について、図５、図６、図７によって、以下に説明する。
【００３２】
まず、図５に示すように、上記横棒４０の略下部を容器本体２１の上面に当接させ、これに沿って薬剤吊り下げ装置１を、矢印Ｘ１方向に移動させる。すると、横棒４０は、フック部３０の先端部外側３５に当接する。さらに、薬剤吊り下げ装置１を、横棒４０（矢印Ｘ１方向）に向けて押し込むと、フック部３０は、図６に示すように、自身の弾性力によって変形しながら、横棒４０の上部外周面に沿って移動する。このとき、フック部３０の先端部は、そのテーパー３６によって横棒４０の外周面に沿って移動し、横棒４０の直径まで拡がるように撓むこととなる。
【００３３】
そして、脱着口３２は、横棒４０の直径と略同一寸法となるまで拡がる。ここで、横棒４０は、テーパー３６と容器本体２１の上面によって脱着口３２に向けてガイドされているので、スムーズに脱着口３２を通過し、保持空間部３３内に収納される。
【００３４】
この状態において、図７に示すように、フック部３０の先端部をガイド溝４１に沿って下側に向けて移動させて、脱着口３２を閉状態とすると同時に、突起部３８を容器本体２１の係入部３９に係合させる。これによって、フック部３０と容器本体２１とが結合され、フック部３０による薬剤吊り下げ装置１の吊り下げ動作が完了する。
【００３５】
なお、図７に示す状態のフック部３０は、自身の弾性力によって図７に示す矢印Ｙ１方向に付勢されていると共に、フック部３０の先端部は、ガイド溝４１によって保持されて、矢印Ｘ１方向への移動が規制されているので、突起部３８と係入部３９との結合状態は、容易に外れないようになっている。
【００３６】
また、突起部３８は、上述したように、容器本体２１に対して略直交する方向に向けて植設されているので、上記横棒４０に対して直交する方向に外力が加わった場合にも、突起部３８と係入部３９との結合状態は容易に解除されず、したがって、横棒４０が、保持空間部３３内に確実に保持される。
【００３７】
以上説明したように上記参考形態によれば、弾性力を有するフック部３０を撓ませることによって、横棒４０の直径がフック部３０の脱着口３２の開口寸法より大きい場合にも、薬剤吊り下げ装置１を横棒４０に吊り下げることができると共に、この薬剤吊り下げ装置１を横棒４０に吊り下げて使用する際には、結合手段によってフック部３０と容器本体２１とを結合させて、脱着口３２を閉状態を保持するようにしたので、上記横棒４０を、保持空間部３３内に確実に保持することができる。したがって、薬剤吊り下げ装置１を横棒４０に吊り下げた際の脱落防止性を向上させることができる。
【００３８】
このように、この参考形態の薬剤吊り下げ装置１を、例えば洋服タンス用として適用した場合には、衣類の出し入れの際に、出し入れする衣類と薬剤吊り下げ装置１が接触することによって、この薬剤吊り下げ装置１が脱落してしまうという問題が大幅に解消され、ユーザーに好印象を与えることができると共に、上記洋服タンス等の横棒の直径が、脱着口３２の開口寸法よりも大きい場合にも充分に対応することができる。
【００３９】
なお、この参考形態では、容器本体２１の内部と外部との間を連通させる連通孔２４は、表側筐体２２と裏側筐体２３との両側に設けるようにしているが、この連通孔２４は、表側筐体２２および裏側筐体２３の少なくとも一方に設けられていればよい。
【００４０】
また、上記参考形態では、結合手段として、フック部３０側に突起部３８を設け、容器本体２１側に係入部３９を配設しているが、これに限らず、この結合手段は、フック部３０と容器本体２１とを結合させて脱着口３２を閉状態とすることができればよいので、容器本体２１側に突起部を設け、これを係合させる係入部をフック部３０側に設けるようにしてもよい。
【００４１】
そして、上記参考形態においては、ハンガー本体（フック部３０）を、表側筐体２２側に一体に設けているが、裏側筐体２３側に一体に配設してもよい。
【００４２】
図８は、別の参考形態の薬剤吊り下げ装置を示す斜視図である。この参考形態の基本的な構成は、上述の参考形態と同様であるが、フック部を有するハンガー本体と薬剤容器とを結合する手段が異なる。したがって、上述の参考形態と同様の構成部材については同じ符号を付して、その詳細な説明は省略する。
【００４３】
この薬剤吊り下げ装置１は、上述の参考形態と同様に、揮散性の薬液剤が含浸されたシート材１０と、このシート材１０を収納する薬剤収納部を有する薬剤容器２０とから構成されている。この薬剤容器２０は、薬剤収納体である容器本体２１と、この容器本体２１の上部側に形成された湾曲状のフック部３０とが一体に形成されたハンガー本体によって構成されており、上述の参考形態における薬剤容器２０（図１参照）と略同様の構成および形状からなるものである。
【００４４】
すなわち、上記参考形態におけるフック部（３０）は、その先端部近傍に突起部（３８）および切欠部（３０ａ）が設けられていたが、この別の参考形態では、この突起部（３８）および切欠部（３０ａ）が除去されていて、その断面形状は、上述の参考形態と同様にＴ字状に形成されている。
【００４５】
また、この別の参考形態では、フック部３０の先端部（嵌入部）が嵌合する嵌合部３９Ａが、フック部３０の先端部と対向する位置に設けられていて、この嵌合部３９Ａの形状は、上記フック部３０の先端部のＴ字状の断面形状に合わせた形状、すなわち同様のＴ字状からなる穴部によって形成されている。
【００４６】
このように構成された上記別の参考形態の薬剤吊り下げ装置１を、フック部３０によって洋服タンス等の横棒に吊り下げるには、上述の参考形態（図５〜図７参照）と同様に、まず、上記横棒の略下部側に対して容器本体２１の上面を当接させ、これに沿って薬剤吊り下げ装置１を横棒に向けて移動させる。すると、フック部３０の先端部は、自身の弾性力によって変形しながら横棒の上側外周面に沿って移動し、横棒の直径まで拡がるように撓む。そして、脱着口３２が、横棒の直径と略同一寸法となるまで拡がる。
【００４７】
さらに、薬剤吊り下げ装置１を横棒に向けて押し込むと、横棒は、保持空間部３３内に収納される。この状態において、フック部３０の先端部を、容器本体２１の嵌合部３９Ａに嵌合させて脱着口３２を閉状態とする。これによって、フック部３０と容器本体２１とが結合され、フック部３０による薬剤吊り下げ装置１の吊り下げ動作が完了する。
【００４８】
なお、このとき、フック部３０の先端部は、嵌合部３９Ａ内に密着して嵌合しており、フック部３０自身の弾性力によって、図８に示す矢印Ｘ２またはＸ３方向に向けて付勢されている。これによって、フック部３０の先端部（嵌入部）と嵌合部３９Ａの内壁面との間に摩擦力が生じ、よってフック部３０と容器本体２１との嵌合状態が容易に外れないようになっている。
【００４９】
以上説明したように上記別の参考形態によれば、上述の参考形態と同様の効果を得ることができると共に、フック部３０の先端部自体からなる嵌入部と容器本体２１の上面に設けた嵌合部３９Ａとを嵌合させるだけ、脱着口３２を閉状態とすることができるので、より簡単な構造で上記横棒を保持空間部３３内に確実に保持することができ、薬剤吊り下げ装置１の脱落防止性を確実に向上させることができる。
【００５０】
なお、この別の参考形態では、フック部３０の先端部自体を嵌入部としているが、フック部３０の先端部に上記嵌合部３９Ａと嵌合する嵌入部を別に設けるようにしてもよい。
【００５１】
図９〜図１４は、本発明の第１の実施形態の薬剤吊り下げ装置を示す図であって、図９は、この薬剤吊り下げ装置を示す斜視図を、図１０は、この薬剤吊り下げ装置の正面図を、図１１は、この薬剤吊り下げ装置の断面図をそれぞれ示すものである。また、図１２、図１３、図１４は、この薬剤吊り下げ装置の動作を説明する図である。なお、この第１の実施の形態も、その基本的な構成は、上述の参考形態と同様であるので、異なる部分についてのみ以下に説明し、同様の構成部材については同じ符号を付して、その詳細な説明は省略する。
【００５２】
この薬剤吊り下げ装置１は、揮散性の薬液剤が含浸されたシート材１０と、このシート材１０を収納する薬剤収納部を有する薬剤容器２０とから構成されている。
【００５３】
薬剤容器２０は、薬剤収納体である容器本体２１と、この容器本体２１の上側に形成された湾曲状のフック部３０および容器本体２１の上面側周縁部に設けられた略山型形状のストッパー部３１とからなるハンガー本体によって形成されており、このハンガー本体と容器本体２１とが一体に形成されている。
【００５４】
容器本体２１は、上記参考形態と同様に、ガス不透過性またはガス半透過性の部材で楕円状に形成された表側筐体２２および裏側筐体２３とによって、裏表分割された構造になっており、揮散性の薬液剤が含浸されたシート材１０を、その内部に収納できるようになっている。そして、表側筐体２２側に、上記フック部３０および上記ストッパー部３１が一体に形成されている。
【００５５】
ストッパー部３１は、上述したように容器本体２１の上面側において略山型形状からなり、その頂部は、フック部３０の先端部と対向する位置に配置され、脱着口３２を狭めるように突設されている。そして、このストッパー部３１には、上記フック部３０の突起部３８が係合する係入部である孔部３９Ｂが穿設されていて、この孔部３９Ｂと上記突起部３８とによって結合手段が構成されている。
【００５６】
フック部３０は、弾性力を有する部材によって形成されていると共に、その断面形状をＴ字状に形成されている（図１１参照）ことで適宜肉厚を調整されており、適切な力量で弾性変形が可能となっていると共に、ストッパー部３１も同様に、弾性力を有する部材によって形成されており、適切な力量で弾性変形が可能になっている。したがって、フック部３０またはストッパー部３１が共に弾性変形することによって、脱着口３２の開口寸法は可変となっている。
【００５７】
また、フック部３０には、上述の参考形態と同様、その一端側の先端部内側３４から先端部外側３５に向けて拡開形状のテーパー３６が形成されており、フック部３０の先端部とストッパー部３１の頂部との間の距離、すなわち脱着口３２の開口寸法Ｄ１（図１０参照）は、薬剤吊り下げ装置１を吊り下げる洋服タンス等の横棒（ハンガー取付部材）の平均的なサイズ（直径）に対して小径に設定されている。
【００５８】
このテーパー３６は、この薬剤吊り下げ装置１を吊り下げる上記横棒を脱着口３２内に挿入する際に、フック部３０を撓ませることによって脱着口３２の開口寸法Ｄ１を拡げるようにガイドするために形成されているものであるが、これに加えて、ストッパー部３１の裾野部３１ａもまた、上記横棒を脱着口３２に導くガイドとしての機能を有している。
【００５９】
また、フック部３０の先端部の突起部３８がストッパー部３１の孔部３９Ｂに係合した状態での保持空間部３３の内径は、薬剤吊り下げ装置１を吊り下げるための洋服タンス等の横棒の平均的なサイズ（直径）と略同一か、または上記横棒の平均的なサイズ（直径）よりも若干大径となるように設定されている。
【００６０】
そして、裏側筐体２３の内側には、シート材１０を表側筐体２２の所定の位置に固定するために複数個のリブ３７が配設されている（図１１参照）。
【００６１】
このように構成された上記第１の実施形態の薬剤吊り下げ装置１を、フック部３０によって洋服タンス等の横棒に吊り下げる場合には、まず、図１２に示すように、横棒４０の略下部側に対してストッパー部３１の裾野部３１ａを当接させ、これに沿って薬剤吊り下げ装置１を、矢印Ｘ１方向に移動させる。すると、横棒４０は、フック部３０の先端部外側３５に当接する。さらに、薬剤吊り下げ装置１を、横棒４０側（矢印Ｘ１方向）に押し込むと、フック部３０は、自身の弾性力によって変形しながら、横棒４０の上部外周面に沿って移動する。
【００６２】
ここで、フック部３０の先端部は、図１３に示すように、そのテーパー３６によって横棒４０の外周面に沿って移動し、横棒４０の直径まで拡がるように撓むこととなる。そして、脱着口３２は、横棒４０の直径と略同一寸法となるまで拡がる。このとき、横棒４０は、テーパー３６とストッパー部３１の裾野部３１ａによって脱着口３２に向けてガイドされているので、スムーズに脱着口３２を通過して保持空間部３３内に収納される。
【００６３】
この状態において、図１４に示すように、フック部３０の先端部の突起部３８を、ストッパー部３１の孔部３９Ｂに係合させて脱着口３２を閉状態とする。これによって、フック部３０と容器本体２１とが結合され、フック部３０による薬剤吊り下げ装置１の吊り下げ動作が完了する。
【００６４】
なお、このとき、フック部３０は、自身の弾性力によって図１４の矢印Ｙ１方向に付勢されているので、突起部３８と孔部３９Ｂとの結合状態は、容易に外れないようになっている。
【００６５】
また、突起部３８は、ストッパー部３１に対して略直交する方向に向けて植設されているので、上記横棒４０に対して直交する方向に外力が加わった場合にも、突起部３８と孔部３９Ｂとの結合状態は容易に解除されず、したがって、横棒４０が保持空間部３３内に確実に保持される。
【００６６】
そして、保持空間部３３の内径は、上述したように、横棒４０の平均的なサイズ（直径）と略同一か、または若干大径となるように設定されているので、横棒４０の下端部がストッパー部３１によって係止されることとなり、これによって、フック部３０により薬剤吊り下げ装置１が横棒４０に吊り下げられた状態において、薬剤吊り下げ装置１は、図１４の矢印Ｘ１方向への移動が規制されることとなる。したがって、薬剤吊り下げ装置１を横棒４０に吊り下げた状態（図１４の状態）で、この薬剤吊り下げ装置１に対して矢印Ｘ１方向への外力が加わった場合には、ストッパー部３１によって横棒４０は係止されることとなり、これによって、横棒４０は、保持空間部３３内に確実に保持される。
【００６７】
以上説明したように上記第１の実施形態によれば、上述の参考形態と同様の効果を得ることができると共に，ストッパー部３１を設けたことによって、薬剤吊り下げ装置１の脱落防止性を、より一層、向上させることができる。
【００６８】
なお、上述の第１の実施形態では、フック部３０とストッパー部３１とを弾性力を有する部材によって形成し、この両部材３０，３１の双方を撓ませることで脱着口３２の開口寸法Ｄ１を可変としているが、フック部とストッパー部のうちのいずれか一方を撓ませることによって脱着口３２の開口寸法Ｄ１を可変とするように構成してもよい。
【００６９】
図１５は、本発明の第２の実施形態の薬剤吊り下げ装置を示す斜視図である。なお、この第２の実施形態は、基本的には上述の第１の実施形態と同様の構成からなるものであるので、同様の構成部材については同じ符号を付して、その詳細な説明は省略する。
【００７０】
この薬剤吊り下げ装置１は、上述の実施形態と同様に、揮散性の薬液剤が含浸されたシート材１０と、このシート材１０を収納する薬剤収納部を有する薬剤容器２０とによって構成されている。
【００７１】
薬剤容器２０は、上述の第１の実施形態における薬剤容器２０（図９参照）と同様の構成および形状からなるものであるが、フック部３０とストッパー部３１Ｂとを結合する手段は、上述の参考形態と同様である。
【００７２】
すなわち、この第２の実施形態におけるフック部３０は、上述の参考形態におけるフック部（３０）と同様に、突起部（３８）が除去されており、その断面形状がＴ字状に形成されている。
【００７３】
また、ストッパー部３１Ｂの頂部には、フック部３０の先端部自体からなる嵌入部が嵌合する嵌合部３９Ａが、フック部３０の先端部と対向する位置に設けられている。そして、この嵌合部３９Ａの形状は、フック部３０の先端部の断面形状と略同一形状、すなわちＴ字状の穴によって形成されている。そして、この嵌合部３９Ａおよびフック部３０の先端部によって結合手段が構成されている。
【００７４】
なお、この第２の実施形態におけるストッパー部３１Ｂは、上述の第１の実施形態におけるストッパー部３１（図９参照）と比較して、その肉厚が厚めに設定されており、その肉厚は、フック部３０の先端部の幅寸法よりも広くなるように設定されている。
【００７５】
このように構成された上記第２の実施形態の薬剤吊り下げ装置１を、フック部３０により洋服タンス等の横棒に吊り下げる際の動作は、上述の参考形態と略同様である。
【００７６】
このように、上記第２の実施形態によれば、上述の第１の実施形態と同様の効果を得ることができる。
【００７７】
〜削除
なお、上述の各実施形態における薬剤吊り下げ装置１は、例えば洋服タンス、オープンハンガー、下駄箱、収納庫、押し入れ等の内部に設置されている横棒に吊り下げて用いることができる。
【００７８】
また、上述の各実施形態における揮散性薬剤としては、一般的に防虫剤、芳香剤、消臭剤、防かび剤、殺虫剤、誘引剤等のうち、少なくとも一種類以上の揮散性薬剤を用いることができるが、これに限らず、上述したもの以外の揮散性薬剤を用いることも可能である。
【００７９】
さらに、上述の各実施形態では、容器本体に収納する薬剤として揮散性薬剤を用い、容器本体の連通孔を上記揮散性薬剤が揮散したガスを外部に放出させるめの放出用開孔部として形成するようにしているが、容器本体に収納する薬剤として非揮散性薬剤を用い、容器本体の連通孔を非揮散性薬剤に薬効対象物を接触させるための接触用開孔部として形成するようにしてもよい。この場合において、非揮散性薬剤としては、一般的に除湿剤、脱臭剤、脱酸素剤等のうち、少なくとも一種類以上の非揮散性薬剤を用いることができるが、これに限らず、上述したもの以外の非揮散性薬剤を用いることも可能である。
【００８０】
そして、連通孔は、多孔質材によって形成し、湿気を含んだ空気は通過することができるが、水は通過できないものとしてもよい。また、容器本体に収納する薬剤として非揮散性薬剤と揮散性薬剤を組合わせて用いてもよい。
【００８１】
このように、本発明に適用される薬剤としては、除湿剤、脱臭剤、脱酸素剤等の非揮散性薬剤や、また、防虫剤、芳香剤、消臭剤、防かび剤、殺虫剤、誘引剤等の揮散性薬剤がある。
【００８２】
除湿剤としては、例えば塩化カルシウム、塩化マグネシウム、塩化リチウム等の潮解性吸湿剤やシリカゲル、モルキュラーシーブ、ケイ酸塩、酸化カルシウム、酸化マグネシウム等の吸着性吸湿剤が挙げられる。
【００８３】
また、防虫剤としては、例えばパラジクロロベンゼン、樟脳、ナフタリン等の固形防虫剤やエンペンスリン、アレスリン、レスメトリン、ペルメトリン、エトフェンプロックス、テトラメスリン、フラメトリン、フェノトリン、プラレトリン等のピレスロイド系やヒノキ油、ナツメグ油、ゼラニウム油、ラベンダー油、ユーカリ油、タイム油、チョウジ油、セージ油、ヒバ油、ペパーミント油、スペアミント油、ローズマリー油、レモングラス油、カモミール油等の植物油やその抽出物からなる天然物系やその他の合成液体防虫剤が挙げられる。好ましくは、揮散性の薬液剤を合成樹脂またはパルプ等、またはそれらからなる不織布や紙に含浸して適用される。
【００８４】
また、本発明に用いられる薬剤容器の素材としては、例えばポリエチレン、ポリプロピレン、ポリスチレン、ナイロン、ポリエチレンテレフタレート、ポリアセタール、ＡＳ樹脂、ＡＢＳ樹脂、ポリカーボネイト等のポリオレフィン系樹脂等が適用される。好ましくは、ポリエチレン、ポリプロピレンが適用される。
【００８５】
【発明の効果】
以上述べたように本発明によれば、洋服タンス等の内部に設置されている横棒に吊り下げて使用する際の脱落防止性をより向上させた薬剤吊り下げ装置を提供することができる。
【００８６】
また、上記洋服タンス等の横棒の直径が脱着口の大きさより大きい場合にも、この横棒に吊り下げて使用することができると共に、上記横棒に吊り下げて使用する際の脱落防止性をより向上させた薬剤吊り下げ装置を提供することができる。
【図面の簡単な説明】
【図１】  参考形態の薬剤吊り下げ装置を示す斜視図。
【図２】  図１の薬剤吊り下げ装置の側面図。
【図３】  図１の薬剤吊り下げ装置の表側の正面図。
【図４】  図１の薬剤吊り下げ装置の背面図。
【図５】  図１の薬剤吊り下げ装置の動作を説明する図。
【図６】  図１の薬剤吊り下げ装置の動作を説明する図。
【図７】  図１の薬剤吊り下げ装置の動作を説明する図。
【図８】  別の参考形態の薬剤吊り下げ装置を示す斜視図。
【図９】  本発明の第１の実施形態の薬剤吊り下げ装置を示す斜視図。
【図１０】  図９の薬剤吊り下げ装置の正面図。
【図１１】  図９の薬剤吊り下げ装置の断面図。
【図１２】  図９の薬剤吊り下げ装置の動作を説明する図。
【図１３】  図９の薬剤吊り下げ装置の動作を説明する図。
【図１４】  図９の薬剤吊り下げ装置の動作を説明する図。
【図１５】  本発明の第２の実施形態の薬剤吊り下げ装置を示す斜視図。
【符号の説明】
１…薬剤吊り下げ装置
１０…シート材
２０…薬剤容器（薬剤収納部）
２１…容器本体（薬剤収納体）
２２…表側筐体
２３…裏側筐体
２４…連通孔（連通部）
３０…フック部
３１，３１Ａ，３１Ｂ…ストッパー部
３１Ｃ…第２の鉤状部（結合手段）
３２…脱着口
３３…保持空間部
３８…突起部（結合手段）
３８Ｃ…第１の鉤状部（結合手段）
３９…係入部（結合手段）
３９Ａ…嵌合部（結合手段）
３９Ｂ…孔部（係入部、結合手段）
３９Ｃ…係入部（ループ状の係入部、結合手段）
３９Ｄ…係入部（鉤状の係入部、結合手段）
５０…ハンガー本体
【図１】
0003756597.tif 000002
【図２】
0003756597.tif 000003
【図３】
0003756597.tif 000004
【図４】
0003756597.tif 000005
【図５】
0003756597.tif 000006
【図６】
0003756597.tif 000007
【図７】
0003756597.tif 000008
【図８】
0003756597.tif 000009
【図９】
0003756597.tif 000010
【図１０】
0003756597.tif 000011
【図１１】
0003756597.tif 000012
【図１２】
0003756597.tif 000013
【図１３】
0003756597.tif 000014
【図１４】
0003756597.tif 000015
【図１５】
0003756597.tif 000016